【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
使用時に回転するシャフトと、このシャフトの先端部に結合固定されるヨークとを備え、このうちのシャフトの先端部外周面に互いに平行な１対の外側平面が形成されており、上記ヨークは、断面略Ｕ字形若しくはコ字形で側方が開口した基部、及び、この基部の先端縁から連続した状態で設けられて、それぞれの先端部に十字軸の端部を枢支する１対の支持腕部から成り、自在継手を構成するものであり、上記ヨークのうちの基部に、互いに離隔して配置され、それぞれの内側面を上記両外側平面と対向する抑え面とした１対の抑え板部と、これら両抑え板部同士を上記基部の開口と反対側部分で互いに連結する連結部と、これら両抑え板部に形成された通孔若しくはねじ孔とが設けられており、上記シャフトと上記ヨークの基部とが、このうちの通孔を挿通した抑えボルトの先端部に形成した雄ねじ部を上記ねじ孔若しくはナットに螺合させる事で結合されるシャフトと自在継手のヨークとの結合部に於いて、上記両抑え板部と上記シャフトの先端部両側面との間に、上記両外側平面の中間部に存在してこれら両外側平面に対し平行な仮想平面に関して非対称な幅方向係合部を設けると共に、上記ヨークの基部の長さ方向に異なる２個所位置と上記シャフトの先端部及び中間部先端寄り部分の軸方向２個所位置との間に軸方向係合部を設ける事により、上記シャフトの先端部を上記両抑え板部同士の間に、これらシャフトの先端部と両抑え板部との位置関係が、幅方向及び長さ方向の何れに関しても正規である場合にのみ挿入可能とした事を特徴とするシャフトと自在継手のヨークとの結合部。
【請求項２】
軸方向係合部を構成する、ヨークの基部の軸方向２個所位置が、両抑え板部のうちの少なくとも一方の抑え板部の長さ方向両端部である、請求項１に記載したシャフトと自在継手のヨークとの結合部。
【請求項３】
軸方向係合部を構成する、ヨークの基部の軸方向２個所位置のうちの少なくとも先端側位置が、連結部の長さ方向先端側端縁である、請求項１に記載したシャフトと自在継手のヨークとの結合部。
【請求項４】
１対の抑え板部の長さ方向両端縁のうちのヨークの先端側の端縁の長さ方向位置を、これら両抑え板部同士の間で互いに異ならせると共に、シャフトの先端部片側面に、このシャフトの先端部をこれら両抑え板部同士の間に、幅方向に関する位置関係を正規の状態として挿入した場合にのみこれら両抑え板部と干渉する事のない突起を設けて幅方向係合部とした、請求項１〜３のうちの何れか１項に記載したシャフトと自在継手のヨークとの結合部。
【請求項５】
ヨークの一部内側面で一方の抑え板部よりもこのヨークの先端側に外れた位置に衝合片を突設すると共に、シャフトの先端部側面に、このシャフトの先端部をこれら両抑え板部同士の間に、幅方向に関する位置関係を正規の状態として挿入した場合にのみ上記衝合片と干渉する事のない突起を設けて幅方向係合部とした、請求項１〜３のうちの何れか１項に記載したシャフトと自在継手のヨークとの結合部。
【請求項６】
１対の抑え板部の長さ方向両端縁のうちのヨークの基端側の端縁の長さ方向位置を、これら両抑え板部同士の間で互いに異ならせると共に、シャフトに設けた外側平面の基端側部分に存在する段差部のこのシャフトの軸方向位置を、１対の外側平面同士の間で互いに異ならせ、このシャフトの先端部を上記両抑え板部同士の間に、幅方向に関する位置関係を正規の状態として挿入した場合にのみ、上記段差部と上記両抑え板部の基端側の端縁とが干渉しない様にして幅方向係合部とした、請求項１〜３のうちの何れか１項に記載したシャフトと自在継手のヨークとの結合部。
【請求項７】
シャフトの先端部側面に形成した突起と外側平面の基端側部分に存在する段差部とを抑え板部又は連結部の長さ方向両端縁に係合させる事により軸方向係合部とした、請求項１〜６のうちの何れか１項に記載したシャフトと自在継手のヨークとの結合部。
【請求項８】
幅方向係合部を構成する為の突起と軸方向係合部を構成する突起とが同一の突起である、請求項１、２、４、７のうちの何れか１項に記載したシャフトと自在継手のヨークとの結合部。
【請求項９】
使用時に回転するシャフトと、このシャフトの先端部に結合固定されるヨークとを備え、このうちのシャフトの先端部外周面に互いに平行な１対の外側平面が形成されており、上記ヨークは、断面略Ｕ字形若しくはコ字形で側方が開口した基部、及び、この基部の先端縁から連続した状態で設けられて、それぞれの先端部に十字軸の端部を枢支する１対の支持腕部から成り、自在継手を構成するものであり、上記ヨークのうちの基部に、互いに離隔して配置され、それぞれの内側面を上記両外側平面と対向する抑え面とした１対の抑え板部と、これら両抑え板部同士を上記基部の開口と反対側部分で互いに連結する連結部と、これら両抑え板部に形成された通孔若しくはねじ孔とが設けられており、上記シャフトと上記ヨークの基部とが、このうちの通孔を挿通した抑えボルトの先端部に形成した雄ねじ部を上記ねじ孔若しくはナットに螺合させる事で結合されるシャフトと自在継手のヨークとの結合部であって、上記両抑え板部の長さ方向両端縁のうちの上記ヨークの先端側の端縁の長さ方向位置を、これら両抑え板部同士の間で互いに異ならせると共に、上記シャフトの先端部片側面に、このシャフトの先端部を上記両抑え板部同士の間に、幅方向に関する位置関係を正規の状態として挿入した場合にのみこれら両抑え板部と干渉する事のない突起を形成して幅方向係合部を設けると共に、上記ヨークの基部の長さ方向に異なる２個所位置と上記シャフトの先端部及び中間部先端寄り部分の軸方向２個所位置との間に軸方向係合部を設ける事により、上記シャフトの先端部を上記両抑え板部同士の間に、これらシャフトの先端部と両抑え板部との位置関係が、幅方向及び長さ方向の何れに関しても正規である場合にのみ挿入可能としたシャフトと自在継手のヨークとの結合部を造る為に、上記シャフトの先端面にかしめ工具の先端面を押し当ててこのシャフトの先端面を押し潰す事により生じた余肉を、このシャフトの先端部片側面から突出させる塑性変形により、このシャフトの先端部片側面に上記突起を形成する、シャフトと自在継手のヨークとの結合部の製造方法。
【請求項１０】
使用時に回転するシャフトと、このシャフトの先端部に結合固定されるヨークとを備え、このうちのシャフトの先端部外周面に互いに平行な１対の外側平面が形成されており、上記ヨークは、断面略Ｕ字形若しくはコ字形で側方が開口した基部、及び、この基部の先端縁から連続した状態で設けられて、それぞれの先端部に十字軸の端部を枢支する１対の支持腕部から成り、自在継手を構成するものであり、上記ヨークのうちの基部に、互いに離隔して配置され、それぞれの内側面を上記両外側平面と対向する抑え面とした１対の抑え板部と、これら両抑え板部同士を上記基部の開口と反対側部分で互いに連結する連結部と、これら両抑え板部に形成された通孔若しくはねじ孔とが設けられており、上記シャフトと上記ヨークの基部とが、このうちの通孔を挿通した抑えボルトの先端部に形成した雄ねじ部を上記ねじ孔若しくはナットに螺合させる事で結合されるシャフトと自在継手のヨークとの結合部であって、上記両抑え板部と上記シャフトの先端部両側面との間に、上記両外側平面の中間部に存在してこれら両外側平面に対し平行な仮想平面に関して非対称な幅方向係合部を設けると共に、上記シャフトの先端部側面に形成した突起と外側平面の基端側部分に存在する段差部とを抑え板部又は連結部の長さ方向両端縁に係合させる事により軸方向係合部とする事で、上記シャフトの先端部を上記両抑え板部同士の間に、これらシャフトの先端部と両抑え板部との位置関係が、幅方向及び長さ方向の何れに関しても正規である場合にのみ挿入可能とした事を特徴とするシャフトと自在継手のヨークとの結合部を造る為に、上記シャフトの先端面にかしめ工具の先端面を押し当ててこのシャフトの先端面を押し潰す事により生じた余肉を、このシャフトの先端部側面から突出させる塑性変形により、このシャフトの先端部側面に上記突起を形成する、シャフトと自在継手のヨークとの結合部の製造方法。
【手続補正２】
【補正対象書類名】明細書
【補正対象項目名】発明の名称
【補正方法】変更
【補正の内容】
【発明の名称】シャフトと自在継手のヨークとの結合部及びその製造方法
【手続補正３】
【補正対象書類名】明細書
【補正対象項目名】０００１
【補正方法】変更
【補正の内容】
【０００１】
この発明の対象となるシャフトと自在継手のヨークとの結合部は、例えばステアリング装置に於いて、このステアリング装置を構成する各種シャフトの端部と自在継手のヨークとを結合する為に利用する。
【手続補正４】
【補正対象書類名】明細書
【補正対象項目名】００１２
【補正方法】変更
【補正の内容】
【００１２】
本発明のシャフトと自在継手のヨークとの結合部及びその製造方法は、上述の様な事情に鑑みて、自在継手の旋回半径を大きくする事なく、シャフトの先端部をヨークの基部に設けた１対の抑え板部同士の間に、正規の位置関係でのみ、容易に挿入可能にできる構造及びその製造方法を、低コストで実現すべく発明したものである。
【手続補正５】
【補正対象書類名】明細書
【補正対象項目名】００１３
【補正方法】変更
【補正の内容】
【００１３】
本発明の対象となるシャフトと自在継手のヨークとの結合部は、前述した従来のシャフトと自在継手のヨークとの結合部と同様に、使用時に回転するシャフトと、このシャフトの先端部に結合固定されるヨークとを備える。
そして、このうちのシャフトの先端部外周面に、互いに平行な１対の外側平面を形成している。
又、上記ヨークは、断面略Ｕ字形若しくはコ字形で側方が開口した基部、及び、この基部の先端縁から連続した状態で設けられて、それぞれの先端部に十字軸の端部を枢支する１対の支持腕部から成り、自在継手を構成するものである。
この様なヨークのうちの基部に、互いに離隔して配置され、それぞれの内側面を上記両外側平面と対向する抑え面とした１対の抑え板部と、これら両抑え板部同士を上記基部の開口と反対側部分で互いに連結する連結部と、これら両抑え板部に形成された通孔若しくはねじ孔とを設けている。
そして、上記シャフトと上記ヨークの基部とを、上記通孔を挿通した抑えボルトの先端部に形成した雄ねじ部を上記ねじ孔若しくはナットに螺合させる事で結合する。
【手続補正６】
【補正対象書類名】明細書
【補正対象項目名】００１７
【補正方法】変更
【補正の内容】
【００１７】
又、上述の様な本発明のシャフトと自在継手のヨークとの結合部を実施する場合に、前記軸方向係合部を構成する為に、例えば請求項７に記載した様に、上記シャフトの先端部側面に形成した突起と外側平面の基端側部分に存在する段差部とを抑え板部又は連結部の長さ方向両端縁に係合させる。
又、本発明のうちの請求項１、２、４、７に記載したシャフトと自在継手のヨークとの結合部を実施する場合に、例えば請求項８に記載した様に、上記幅方向係合部を構成する為の突起と、上記軸方向係合部を構成する突起とを同一の突起とする事もできる。
更に、請求項４、７に記載したシャフトと自在継手のヨークとの結合部を製造する場合に好ましくは、請求項９、１０に記載した発明の様に、上記シャフトの先端面にかしめ工具の先端面を押し付けてこのシャフトの先端面を押し潰す事により生じた余肉を、上記シャフトの先端部片側面から突出させる塑性変形により、このシャフトの先端部側面に上記突起を形成する。
【手続補正７】
【補正対象書類名】明細書
【補正対象項目名】００２６
【補正方法】変更
【補正の内容】
【００２６】
［実施の形態の第３例］
図４〜５は、請求項１、２、４、７、８〜１０に対応する、本発明の実施の形態の第３例を示している。本例の場合には、シャフト１１ｃの先端面にかしめ工具の先端面を押し当ててこのシャフト１１ｃの先端面を押し潰す事により生じた余肉を、このシャフト１１ｃの先端部片側面から突出させる塑性変形により、このシャフト１１ｃの先端部片側面に突起２１ａを形成している。
その他の部分の構成及び作用は、前述した実施の形態の第１例の場合と同様であるから、同等部分に関する重複する説明は省略する。
【手続補正８】
【補正対象書類名】明細書
【補正対象項目名】００２９
【補正方法】変更
【補正の内容】
【００２９】
［実施の形態の第５例］
図８〜９は、請求項１、２、６〜８、１０に対応する、本発明の実施の形態の第５例を示している。本例の場合には、幅方向係合部２０ｂを構成する為に、両抑え板部１９ｃ、１９ｄの長さ方向両端縁のうちのヨーク７ｃの基部１２ｃの基端側の端縁の長さ方向位置を、これら両抑え板部１９ｃ、１９ｄ同士の間で互いに異ならせている。これと共に、シャフト１１ｄに設けた外側平面１８ａ、１８ｂの基端側部分に存在する段差部２３ａ、２３ｂのこのシャフト１１ｄの軸方向位置を、上記両外側平面１８ａ、１８ｂ同士の間で互いに異ならせている。又、上記シャフト１１ｄの先端部両側面に、それぞれ軸方向係合部２２ａを構成する為の突起２１ａ、２１ａを形成している。これら両突起２１ａ、２１ａに就いても、前述の図４〜５に示した実施の形態の第３例と同様に、上記シャフト１１ｄの先端面にかしめ工具の先端面を押し当てる塑性変形により、形成している。
【手続補正９】
【補正対象書類名】明細書
【補正対象項目名】００３２
【補正方法】変更
【補正の内容】
【００３２】
［実施の形態の第７例］
図１２は、請求項１、３、６〜８、１０に対応する、本発明の実施の形態の第７例を示している。本例の場合には、軸方向係合部２２ｂを構成する、ヨーク７ｃの基部１２ｃの軸方向２個所位置のうちの先端側位置を、連結部２７の長さ方向先端側端縁としている。この為に本例の場合には、シャフト１１ｅの先端部で上記連結部２７に対向する部分に突起２１ｂを、当該部分を塑性変形させる事で形成している。
その他の部分の構成及び作用は、前述の図８〜９に示した実施の形態の第５例と同様であるから、重複する説明は省略する。
【手続補正１０】
【補正対象書類名】図面
【補正対象項目名】図１７
【補正方法】変更
【補正の内容】
【図１７】
2008014355.tif 000001